(57)【要約】【課題】従来のリフトアップキャップやターバンは、ゴムや伸縮性の強い素材を用いて縫製されているので、装着時に圧迫感が強いなど、装着感に問題があった。【解決手段】伸縮性のある素材を筒状に形成したターバンであって、シリコンと素材との間に引き上げ帯を設け、ターバンの上部内辺縁全周に縫着し、ターバンの筒状部に切り込みを設け、両端を伸縮性のある面ファスナーで接合し輪にする構成を有するフェイスリフトアップ兼髪束ね用ターバン。【選択図】 図１
2020028556.tif 000002
【特許請求の範囲】
【請求項１】
伸縮性のある素材を筒状に形成したターバンであって、その上部内辺縁全周にシリコンテープを設けたことを特徴とするフェイスリフトアップ兼髪束ね用ターバン。
【請求項２】
シリコンテープと素材との間に引き上げ帯を設け、ターバンの上部内辺縁全周に縫着したことを特徴とする請求項１に記載のフェイスリフトアップ兼髪束ね用ターバン。
【請求項３】
ターバンの筒上部の環状体に切り込みを設け、両端を接合し輪にする構成を有する請求項１又は請求項２に記載のフェイスリフトアップ兼髪束ね用ターバン。
【請求項４】
ターバンの筒上部接合部分に伸縮性のある面ファスナーを設けたことを特徴とする請求項１〜請求項３のいずれかに記載の、フェイスリフトアップ兼髪束ね用ターバン。
【請求項５】
フェイスリフトアップ兼髪束ね用ターバンであって、伸縮性のある素材から形成される帯状のターバン本体と、前記ターバン本体に設けられるシリコンテープとを備えることを特徴とするフェイスリフトアップ兼髪束ね用ターバン。
【請求項６】
前記シリコンテープは、前記ターバン本体の一の側縁部に沿って配置されていることを特徴とする請求項５に記載のフェイスリフトアップ兼髪束ね用ターバン。
【請求項７】
シリコンテープと素材との間に引き上げ帯を設け、帯状ターバン本体の一の側縁部に縫着したことを特徴とする請求項５または６に記載のフェイスリフトアップ兼髪束ね用ターバン。
【請求項８】
帯状のターバン本体の両端部に伸縮性のある面ファスナーを設けたことを特徴とする請求項５〜７のいずれかに記載の、フェイスリフトアップ兼髪束ね用ターバン。
【発明の詳細な説明】
【技術分野】
【０００１】
本発明は、加齢などによりたるんだ顔やあご周りの皮膚を適度に引き上げ、固定しがちな眉間、目尻、ほうれい線等のしわを引き伸ばして美容に役立てると同時に、下垂した眼瞼の皮膚を引き上げて視野を広げるのを助け、さらに、睡眠時などを利用しそのような状態を一定時間維持することにより、深いしわを防いだり、浅いしわを改善したりするのを目的とする美容用ターバンに関する。
【背景技術】
【０００２】
従来のリフトアップキャップやターバンは、たるんだ顔の皮膚を引き上げるために、ゴムや伸縮性の強い素材を用いて縫製され、頭部を締め付けながらたるんだ皮膚を吊り上げるというような仕組みのものが多くみられる（特許文献１参照）。
【０００３】
他に、筒状のターバンの弾力性で引き上げる用法に加え、引き上げ帯を縫着して頭の後方に引っぱり縛ることでしわを伸ばす、という技術がある（特許文献２参照）。同技術にはまた、ターバンの内辺に小幅のシリコン滑り止め素材を設けた特徴もある。
【先行技術文献】
【特許文献】
【０００４】
【特許文献１】特開２１０２ー２２８３２３
【特許文献２】特開２１０３ー１３６９３
【発明の概要】
【発明が解決しようとする課題】
【０００５】
従来の、有効的に引き上げることが可能な用具は、その締め付けにより、装用時に圧迫感が強いなど、装用感に問題が生じる場合があり、長時間または継続的な使用は困難になることがあった。結果的に、洗顔時や顔の手入れ時の使用など短時間の使用に制限されることが多い。
【０００６】
当発明では、従来のゴムなどの弾力体で吊りあげる方法から、ストレッチレースなど薄く通気性と伸縮性のあるバンド状の布地にシリコンを付けたものを引き上げに用いるなど、発想を変えた技術と用法を用いることより、装着感を快適にし、頭部に対する締め付けを優しくしつつ、しわを引き上げる十分な効果をもたらすことを目的としている。
【０００７】
特許文献２の技術にもシリコンは用いられているが、小幅のものを一部分に付けるのでは、皮膚を引き上げるために十分な密着度が得られにくく、また、シリコンの素材や接着方法によっては、滑り止めという用途を越えないと判断される。
【０００８】
当発明では、新たな技術と用法により、シリコンで皮膚を引き上げる効果を改善することを目指した。
【０００９】
特許文献２の技術のひとつに、頭部後ろで引っ張り縛るなどする引き上げ帯があるが、このような形状と方法の場合、就寝時に身につけることは快適さを損ねるため難しい。
【００１０】
しかしながら、就寝時に眉間のしわができやすいのが悩みという声もある。当発明では、就寝時も快適に装着しつつ、額や眉間のしわを寝ている間に少しでも伸ばし、中高年の朝の容貌を快くさせることを目指した。
【００１１】
使用法にも特長がある。従来のリフトアップ用ターバンでは、顔の皮膚を上部に引き上げることが主な目的であったが、本発明は、着用方法の違いによって顎周辺の骨を引き上げて整える目的も加えた２wayの使用法により、ひとつの発明で多方面の満足を得られるように努めた。
【課題を解決するための手段】
【００１２】
請求項１記載の発明は、伸縮性のある素材を筒状に形成したターバンであって、その上部内辺縁全周にシリコンを設けたことを特徴とするフェイスリフトアップ兼髪束ね用ターバン。
【００１３】
請求項２記載の発明は、シリコンと素材との間に引き上げ帯を設け、ターバンの上部内辺縁全周に縫着したことを特徴とするフェイスリフトアップ兼髪束ね用ターバン。
【００１４】
請求項３記載の発明は、ターバンの筒上部の環状体に切り込みを設け、両端を接合し輪にする構成を有するフェイスリフトアップ兼髪束ね用ターバン。
【００１５】
請求項４記載の発明は、ターバンの筒上部接合部分に、伸縮性のある面ファスナーを設けたことを特徴とするフェイスリフトアップ兼髪束ね用ターバン。
【発明の効果】
【００１６】
上述したように本発明のフェイスリフトアップ兼髪束ね用ターバンは、従来のゴムの弾性によって頭を締め付けて引き上げる発明とは異なり、伸縮性のある素材を筒状に形成したその上部内辺縁全周にシリコンを設けたことにより、頭を過度にしめつけて皮膚を引き上げることなく、シリコンの密着性と素材の伸縮によって、着け心地がよく、快適に皮膚を引き上げ、加齢により固着しがちなしわを軽減する効果期待できる。また加齢により垂れ下がった眼瞼の皮膚を引き上げることで、視野を広げる効果も期待できる。洗面または顔の手入れ時にも髪束ね様ターバンとして、効果的に使用できる。
装着方法を変えることで、顎周辺の骨を引き上げて整え、フェイスラインを美しくする効果も期待できる。
【００１７】
本発明は、シリコンと素材との間に引き上げ帯を設け、ターバンの上部内辺縁全周に縫着したことにより、シリコンのみを素材に付けたときよりも、シリコンの密着効果を発揮することができる。
【００１８】
本発明のターバンでは、筒上部の環状体に切り込みを設け、両端を接合し輪にする構成により、さまざまなサイズの頭の人に装着させることが可能になる。切り込みの長さは５〜２０ｃｍにするのが好ましい。さらに、８〜１５ｃｍにするのがより好ましい。
【００１９】
本発明のターバンでは、筒上部接合部分に、伸縮性のある面ファスナーを設けたことにより、さまざまなサイズや形状の頭の人に心地よくぴったりと装着させることが可能になり、また締め付け感を個人の好みによって調節することができるようになり、快適な引き上げ効果を発揮できる。
【図面の簡単な説明】
【００２０】
【図１】本発明の実施例１におけるフェイスリフトアップ兼髪束ね用ターバンの全体構成
【図２】実施例１を構成する引き上げ帯の説明図
【図３】実施例１の筒上部の環状帯体接合部分の説明図
【図４】実施例１の装着方法１の説明図
【図５】実施例１の装着方法２の説明図
【図６】実施例２のフェイスリフトアップ用ヘッドバンドの説明図
【図７】実施例３の昼用リフトアップ用ターバンの説明図
【発明を実施するための形態】
【００２１】
以下にこの発明の実施の形態を図面に基づいて詳説する。
【００２２】
図１は本発明の実施例１におけるフェイスリフトアップ兼髪束ね用ターバン１の全体構成を説明した図である。図２は実施例１のフェイスリフトアップ兼髪束ね用ターバン１を構成する引き上げ帯２を説明する図である。図３は実施例１の筒体上部の環状帯体接合部分を説明する図である。接合部分には面ファスナー３が設けられている。図４は実施例１の装着方法１を説明する図である。図５は実施例１の装着方法２を説明する図である。図６は実施例２のフェイスリフトアップ兼髪束ね用ターバン６を説明する図である。図７は実施例３の昼用フェイスリフトアップ兼髪束ね用ターバン７を説明する図である。
【００２３】
図１のフェイスリフトアップ兼髪束ね用ターバン１は、ターバン本体１a、引き上げ帯２、引き上げ帯本体２a、シリコンテープ２b、面ファスナー３で構成されている。
【００２４】
ターバン本体１aは、伸縮性と通気性のあるタオル地または肌触りのいい布地などを素材とする。布地は、伸縮方向が縦、横、斜め、全方向に伸縮し、頭の丸みにフィットするものが望ましい。伸縮性があることで、後述する引き上げ帯部分の引き上げ効果を補助する。なだらかな先細の筒状に形成することにより髪束ねの効果を持つ。髪の毛を包みこんだ筒状の本体が頭から肩にかけて下敷きになることで、適度な引っ張り効果が生じる。ターバン本体１aの上部内辺縁全周には、引き上げ帯本体２aにシリコン２bを付けた引き上げ帯２を縫着してあり、シリコン２bの皮膚への密着性とターバン本体１aの伸縮性により、頭を過度に締め付けることなく顔まわりの皮膚を効果的に引き上げることができる。さらに、シリコンを全周に設けることにより皮膚への密着度を高め、バランスよく皮膚を引き上げることができる。ターバン本体１aの筒体上部接合部分には、伸縮性のある面ファスナー３を設けることで、さまざまなサイズの頭囲に対応し、個人の好みに合わせて適度に締め付けることが可能になっている。
【００２５】
図２は、図１の引き上げ帯部分を拡大した図である。引き上げ帯２には、引き上げ帯本体２aの上部にシリコンテープ２bを熱接着させてある。シリコンテープ２bは、複数帯状に所定間隔をあけて配置されている。引き上げ帯にシリコンテープが配置されていない部分があり、それによって通気性がよくなる。引き上げ帯２は、フェイスリフトアップ兼髪束ね用ターバン１のターバン本体１aの上部内辺縁全周に縫着されている。
【００２６】
引き上げ帯本体２aは、通気性を保ちつつシリコンの皮膚への密着効果を高める目的があるため、ストレッチレースなどの伸縮性と通気性を兼ね備えた素材が望ましい。シリコンテープ２bは、伸縮性があって薄く、強度があるものが望ましい。
【００２７】
図３は、フェイスリフトアップ兼髪束ね用ターバン1の筒体上部接合部分の拡大図である。さまざまなサイズの頭囲に対応し個人の好みに合わせて適度に締め付けることができるように、１aの筒体上部に切り込みを設け、伸縮性のある面ファスナー３が縫着されている。面ファスナー3aをオスにし、長めのメス３bに対応している。この面ファスナー3の素材は、着物の着付け用ベルトに使用されるような、やわらかく肌触りのいいものを使用するのが望ましい。
【００２８】
図４は、フェイスリフトアップ兼髪束ね用ターバン1（以下ターバン）の装着方法１を説明したものである。準備として、髪の毛が括れる長さの場合は髪ゴムなどで軽く括っておく。まず、図４のＡに示すようにターバンの面ファスナー３の付いた部分を両手で持ち、引き上げ帯２のシリコン部分を額の皮膚に密着させるようにしながら頭に被せる。次に図４のＢに示すように、耳を中に入れて頬の部分にシリコンを密着させるようにしながら後頭部の生え際の部分で面ファスナー３をしっかりと留める。この時締め付け過ぎないように適度にする。次に、図４のＣに示すように髪の毛を筒の中に納める。最後に、図４のＤに示すように、額から頬の部分の皮膚が適度に伸びて引きあがるようにターバンの筒の部分を引っ張って調節する。シリコン部分は常に皮膚に密着させるようにする。耳の部分が不快に感じる場合は、耳を出す装着方法も可能である。家庭内での装着が想定されるが、就寝時にも無理なく装着できるので、就寝時に眉間のしわが深くなるというような悩みにも対応可能で、起床時のしわと眼瞼の垂れ下がりを軽減することを期待できる。
【００２９】
図５は、フェイスリフトアップ兼髪束ね用ターバン1（以下ターバン）を通常と逆に装着する装着方法２を説明している。顎周りの骨を引き上げて整え、フェイスランを美しくすることを目的としている。準備として髪の毛が括れる長さの場合は軽く括っておく。まず、図５のＡに示すように、ターバンの面ファスナー３の付いた部分を両手で持ち、ターバンの切れ目の部分を上にして、図５のＢが示すように、引き上げ帯２が顎と頬の部分に密着するようにしながら顔の前面が隠れるように被せ、頭の上で面ファスナー３をしっかりと留める。次に、図５のＣ、Ｄが示すように、そのままターバンを裏返すようにして顔を出し、後頭部に頭巾のように被せる。この装着方法によって、顎周りの骨が心地よく引き上げられ、顎の下がることや、二重顎の軽減が期待される。図５のように設置する場合は、筒状の本体部分が、頭部が問題なく出る大きさであることが望ましい。
【００３０】
図６が示す実施例２は、実施例１のフェイスリフトアップ兼髪束ね用ターバン1（以下ターバン）を応用したフェイスリフトアップ兼髪束ね用ターバン（ヘッドバンドタイプ）（以下ヘッドバンド）である。帯状のターバン本体1の一部に図２に示すのとほぼ同じ形態で、引き上げ帯２と面ファスナー３が縫着されている。この応用例により、外出時に装着したり、帽子の下に装着したりと、様々なシチュエーションに対応することが可能になる。また、顎の下にヘッドバンドのシリコン部分を当てて、頭の上で面ファスナー3を留める装着方法により、顎のリフトアップにも利用できる。
【００３１】
図７が示す実施例３は、実施例１のフェイスリフトアップ兼髪束ね用ターバン１を応用した図５に示す構成よりさらに幅広い布地を設けた、昼用フェイスリフトアップ兼髪束ね用ターバン１である。フェイスリフトアップ兼髪束ね用ヘッドバンド１の伸縮性の布地部分1aを多くして、両端に面ファスナーを付けず自由端とした例である。本例は縛るタイプなので、面ファスナーは不要である。引き上げ帯２のシリコン部分を額と頬に密着させるようにしながら布地の両端を適度な締め付け感になるように頭の後ろで結ぶだけで、リフトアップターバンの効果を得られる。就寝時には使用しづらいが、日中の使用に適している例である。
【符号の説明】
【００３２】
１ フェイスリフトアップ兼髪束ね用ターバン
１a フェイスリフトアップ兼髪束ね用ターバン本体
２ ストレッチレースにシリコンテープを接着した引き上げ帯
２a 引き上げ帯本体
２b ２aに接着したシリコンテープ
３ 面ファスナーを縫着した１a筒体上部の環状体接合部分
３a  面ファスナー３のオス部分  
３b  面ファスナー３のメス部分
３c  １a筒体上部に切り込みを入れた部分
４  フェイスリフトアップ兼髪束ね用ターバンの装着方法１
５  フェイスリフトアップ兼髪束ね用ターバンの装着方法２
６  フェイスリフトアップ兼髪束ね用ターバンの応用実施例の、フェイスリフトアップ兼髪束ね用ヘッドバンドの説明図
７  フェイスリフトアップ兼髪束ね用ターバンの応用実施例の、昼用フェイスリフトアップ兼髪束ね用ターバンの説明図
【図１】
2020028556.tif 000003
【図２】
2020028556.tif 000004
【図３】
2020028556.tif 000005
【図４】
2020028556.tif 000006
【図５】
2020028556.tif 000007
【図６】
2020028556.tif 000008
【図７】
2020028556.tif 000009